(57)【特許請求の範囲】
【請求項１】
インターネットショッピングモール管理サーバーで実行されるインターネットショッピングモール管理方法において、
少なくとも一つの購買端末で発生した購買金額の既設定された比率を取引ポイントとして支給する段階；
前記少なくとも一つの購買端末のうち基準取引金額を超過した少なくとも一つの購買端末を抽出する段階；
前記抽出した少なくとも一つの購買端末の取引金額に基づいて、前記少なくとも一つの購買端末を既設定された区間に分けて分類する段階；および
前記分類した各レベル別の少なくとも一つの購買端末に、前記レベル別に既マッピングされて保存されたパーセントの会社の売上額に対する分配を追加ポイントとして付与する段階；を含む構成であって、
少なくとも一つの購買端末で発生した購買金額の既設定された比率を取引ポイントとして支給する段階後に、
前記少なくとも一つの購買端末で推薦した少なくとも一つの被推薦端末の前記インターネットショッピングモール管理サーバーへのアクセスイベントが発生した場合、推薦人である少なくとも一つの購買端末に、推薦人の数に基づいた等級で差別的に付与されるパーセントに基づく推薦ポイントを付与する段階；
をさらに含むインターネットショッピングモール管理方法。
【請求項２】
前記レベル別に既マッピングされて保存されたパーセントは、前記取引金額によるレベルが高まるほど増加するものである、請求項１に記載のインターネットショッピングモール管理方法。
【請求項３】
前記推薦ポイントは、前記推薦によって少なくとも一つの被推薦端末で購買が発生する場合、前記購買金額および購買周期に基づいて算出され、
前記推薦ポイントのための等級は、周期的またはリアルタイムで推薦数および少なくとも一つの被推薦端末の購買金額に基づいてアップデートされるものである、請求項１に記載のインターネットショッピングモール管理方法。
【請求項４】
前記インターネットショッピングモール管理サーバーは、前記取引ポイント、追加ポイントおよび推薦ポイントと、前記インターネットショッピングモール管理サーバーで提供するインターネットショッピングモールの売上額を出力するページを提供するものである、請求項１に記載のインターネットショッピングモール管理方法。
【請求項５】
前記取引ポイントは購買金額に基づいて提供され、前記追加ポイントは分類したレベルに該当するテーブルに提供され、前記推薦ポイントは付与された等級に該当するテーブルに提供され、
先々月の累計、先月の取引および今月の取引によるそれぞれのポイントが一つのテーブルに提供されるものである、請求項４に記載のインターネットショッピングモール管理方法。
【請求項６】
前記インターネットショッピングモール管理サーバーは、前記取引ポイント、追加ポイントおよび推薦ポイントを、前記少なくとも一つの購買端末の設定または要請で周期的に現金で配当するものである、請求項１に記載のインターネットショッピングモール管理方法。
【請求項７】
前記少なくとも一つの購買端末で発生した購買金額の既設定された比率を取引ポイントとして支給する段階前に、
少なくとも一つの購買端末で入力したキーワードに対応する販売物品に対する在庫物量、価格変動および配送所要時間をアップデートする段階；
前記販売物品に対する情報が変動した場合には、変動した情報を前記少なくとも一つの購買端末に出力する段階；をさらに含むことである、請求項１に記載のインターネットショッピングモール管理方法。
【請求項８】
前記アクセスイベントは、前記少なくとも一つの被推薦端末の前記インターネットショッピングモール管理サーバーへの照会、登録、および購買のうち少なくとも一つのイベントを含むものである、請求項１に記載のインターネットショッピングモール管理方法。
【発明の詳細な説明】
【技術分野】
【０００１】
本発明はインターネットショッピングモール管理方法に関し、購買金額および会員の推薦により会社の売上額を顧客に再分配し、統合してポイント管理チャートを提供する方法に関する。
【背景技術】
【０００２】
最近、インターネットショッピングモールの飽和状態により多くのインターネットショッピングモールでは、広告に過多な費用を投資したり、出血競争で物を販売しても損害を被る場合が多くなっており、消費者もショッピングモールを選択する時に多くの広告によって一つのショッピングモールを選択するのが多少容易ではない。
【０００３】
この時、ショッピングモールの会員を管理する方法は電子商取引で現金を支給するサービスを提供することによって行われる。これと関連して、先行技術である韓国公開特許第２０１４−００３１４４９号（２０１４．０３．１３公開）には、ショッピングモール内で各会員同士で取引が可能であるようにし、取引されたポイントを通じてショッピングモールおよび一般のオフライン売り場で物品を自由に購入できるようにして、ショッピングモール会員のポイント活用に対する満足度を向上させることができるようにし、会員間のポイント取引時に発生する中継ポイントをショッピングモール運営業者の収益に転換させることができるようにする構成を開示している。
【０００４】
ただし、購買によるポイントはすでにすべてのショッピングモールで支給しているので、該当ショッピングモールに顧客を流入させるほどの要素としては作用せず、各会員同士でポイントを購入したとしてもこれはさらに他の消費につながるのでポイントの購買が活発でなくなり、ポイントを現金化せずにポイントを使用できる使用先が定められた場合にはポイントに対する活用価値が低いため、ポイントによる顧客流入率が小さい。
【発明の概要】
【発明が解決しようとする課題】
【０００５】
本発明の一実施例は、一定の金額以上購入した顧客には会社の利益を差別的に配分することによって購買力を高め、推薦を通じて推薦ポイントを別途に支給することによって広告および広報効果を増大させ、ポイントを現金化および配当を受けるようにすることによってポイントの活用価値および顧客流入率を最大化できる、インターネットショッピングモール管理方法を提供することができる。ただし、本実施例が達成しようとする技術的課題は前記のような技術的課題に限定されず、さらに他の技術的課題が存在し得る。
【課題を解決するための手段】
【０００６】
前述した技術的課題を達成するための技術的手段として、本発明の一実施例は、少なくとも一つの購買端末で発生した購買金額の既設定された比率を取引ポイントとして支給する段階、少なくとも一つの購買端末のうち基準取引金額を超過した少なくとも一つの購買端末を抽出する段階、抽出した少なくとも一つの購買端末の取引金額に基づいて、少なくとも一つの購買端末を既設定された区間に分けて分類する段階、および分類した各レベル別の少なくとも一つの購買端末に、レベル別に既マッピングされて保存されたパーセントの会社の売上額に対する分配を追加ポイントとして付与することができる。
【発明の効果】
【０００７】
前述した本発明の課題解決手段のうちいずれか一つによると、一定の金額以上購入した顧客には会社の利益を差別的に配分することによって購買力を高め、推薦を通じて推薦ポイントを別途に支給することによって広告および広報効果を増大させ、ポイントを現金化および配当を受けるようにすることによってポイントの活用価値および顧客流入率を最大化することができる。
【図面の簡単な説明】
【０００８】
【図１】本発明の一実施例に係るインターネットショッピングモール管理システムを説明するための構成図。
【図２】図１に図示されたインターネットショッピングモール管理サーバーを説明するための構成図。
【図３】本発明の一実施例に係るインターネットショッピングモールで売上額およびポイントを公知するページを説明するための図面。
【図４】本発明の一実施例に係る種類別ポイントおよび配当要請画面を説明するための図面。
【図５】本発明の一実施例に係る図１に含まれた各構成の相互間にデータが送受信される過程を示した図面。
【図６】本発明の一実施例に係るインターネットショッピングモール管理方法を説明するための動作フローチャート。
【発明を実施するための形態】
【０００９】
以下では、添付した図面を参照して本発明が属する技術分野で通常の知識を有する者が容易に実施できるように本発明の実施例を詳細に説明する。しかし、本発明は多様な相違する形態で具現され得、ここで説明する実施例に限定されない。そして、図面で本発明を明確に説明するために説明と関係のない部分は省略したし、明細書の全体を通じて類似する部分については類似する図面符号を付した。
【００１０】
明細書の全体において、ある部分が他の部分と「連結」されているとする時、これは「直接的に連結」されている場合だけでなく、その中間に他の素子を挟んで「電気的に連結」されている場合も含む。また、ある部分がある構成要素を「含む」とする時、これは特に反対の記載がない限り、他の構成要素を除くものではなく他の構成要素をさらに含むことができることを意味し、一つまたはそれ以上の他の特徴や数字、段階、動作、構成要素、部分品またはこれらを組み合わせたものなどの存在または付加の可能性をあらかじめ排除しないものと理解されるべきである。
【００１１】
明細書の全体で使われる程度の用語「約」、「実質的に」等は、言及された意味に固有な製造および物質の許容誤差が提示される時に、その数値でまたはその数値に近接した意味で使われ、本発明の理解を助けるために正確または絶対的な数値が言及された開示内容を非良心的な侵害者が不当に利用することを防止するために使われる。本発明の明細書の全体で使われる程度の用語「〜（する）段階」または「の段階」は「〜のための段階」を意味しない。
【００１２】
本明細書において「部」とは、ハードウェアによって具現されるユニット（ｕｎｉｔ）、ソフトウェアによって具現されるユニット、両方を利用して具現されるユニットを含む。また、１個のユニットが２個以上のハードウェアを利用して具現されてもよく、２個以上のユニットが１個のハードウェアによって具現されてもよい。
【００１３】
本明細書において端末、装置またはデバイスが遂行するものと記述された動作や機能のうち一部は、該当端末、装置またはデバイスと連結されたサーバーで代わりに遂行されてもよい。これと同様に、サーバーが遂行するものと記述された動作や機能のうち一部も該当サーバーと連結された端末、装置またはデバイスで遂行されてもよい。
【００１４】
本明細書において、端末とマッピング（Ｍａｐｐｉｎｇ）またはマッチング（Ｍａｔｃｈｉｎｇ）と記述された動作や機能にうち一部は、端末の識別情報（Ｉｄｅｎｔｉｆｙｉｎｇ  Ｄａｔａ）である端末機の固有番号や個人の識別情報をマッピングまたはマッチングするという意味で解釈され得る。
【００１５】
以下添付された図面を参照して本発明を詳細に説明する。
【００１６】
図１は、本発明の一実施例に係るインターネットショッピングモール管理システムを説明するための構成図である。図１を参照すると、インターネットショッピングモール管理システム１は、少なくとも一つの購買端末１００、インターネットショッピングモール管理サーバー３００および少なくとも一つの被推薦端末４００を含むことができる。ただし、このような図１のインターネットショッピングモール管理システム１は、本発明の一実施例に過ぎないため、図１を通じて本発明が限定解釈されるものではない。
【００１７】
この時、図１の各構成要素は一般的にネットワーク（ｎｅｔｗｏｒｋ、２００）を通じて連結される。例えば、図１に図示された通り、少なくとも一つの購買端末１００は、ネットワーク２００を通じてインターネットショッピングモール管理サーバー３００と連結され得る。そして、インターネットショッピングモール管理サーバー３００は、ネットワーク２００を通じて少なくとも一つの購買端末１００、少なくとも一つの被推薦端末４００と連結され得る。また、少なくとも一つの被推薦端末４００は、ネットワーク２００を通じてインターネットショッピングモール管理サーバー３００に連結され得る。
【００１８】
ここで、ネットワーク２００は、複数の端末およびサーバーのようなそれぞれのノードの相互間に情報交換が可能な連結構造を意味するものであって、このようなネットワーク２００の一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、５ＧＰＰ（５ｒｄ  Ｇｅｎｅｒａｔｉｏｎ  Ｐａｒｔｎｅｒｓｈｉｐ  Ｐｒｏｊｅｃｔ）ネットワーク、ＷＩＭＡＸ（Ｗｏｒｌｄ、Ｉｎｔｅｒｏｐｅｒａｂｉｌｉｔｙ、ｆｏｒ  Ｍｉｃｒｏｗａｖｅ、Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（登録商標）（Ｂｌｕｅｔｏｏｔｈ（登録商標））ネットワーク、衛星放送ネットワーク、アナログ放送ネットワーク、ＤＭＢ（Ｄｉｇｉｔａｌ、Ｍｕｌｔｉｍｅｄｉａ  Ｂｒｏａｄｃａｓｔｉｎｇ）ネットワークなどが含まれるが、これに限定されはしない。図１に図示された少なくとも一つの購買端末１００、インターネットショッピングモール管理サーバー３００、少なくとも一つの被推薦端末４００は図１に図示されたものに限定解釈されるものではない。
【００１９】
少なくとも一つの購買端末１００は、インターネットショッピングモールを通じて購買をする購買者の端末であり得る。そして、少なくとも一つの購買端末１００は、購買金額により取引ポイントを有する端末であり得る。また、少なくとも一つの購買端末１００は、購買金額が一定の金額を超過する場合、会社の売上額の既設定されたポイントを追加ポイントとして支給を受ける端末であり得る。また、少なくとも一つの購買端末１００は、他のユーザーを推薦する場合、推薦ポイントの支給を受ける端末であり得る。そして、少なくとも一つの購買端末１００は、推薦した他のユーザーが購入した金額により推薦ポイントを差別的に支給を受ける端末であり得る。また、少なくとも一つの購買端末１００は、定期的にポイントを合算して配当を申請できる端末であり得る。
【００２０】
ここで、少なくとも一つの購買端末１００は、ネットワーク２００を通じて遠隔地のサーバーや端末に接続できるコンピュータで具現され得る。ここで、コンピュータは例えば、ウェブブラウザ（ＷＥＢ  Ｂｒｏｗｓｅｒ）が搭載されたノートパソコン、デスクトップ（Ｄｅｓｋｔｏｐ）、ラップトップ（Ｌａｐｔｏｐ）等を含むことができる。この時、少なくとも一つの購買端末１００は、ネットワーク２００を通じて遠隔地のサーバーや端末に接続できる端末で具現され得る。少なくとも一つの購買端末１００は、例えば、携帯性と移動性が保証される無線通信装置であって、ナビゲーション、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（ｌｎｔｅｒｎａｔｉｏｎａｌ、Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ、Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、スマートパッド（ｓｍａｒｔｐａｄ）、タブレットＰＣ（Ｔａｂｌｅｔ  ＰＣ）等のようなすべての種類のハンドヘルド（Ｈａｎｄｈｅｌｄ）基盤の無線通信装置を含むことができる。
【００２１】
インターネットショッピングモール管理サーバー３００は、インターネットショッピングモール管理サービスウェブページ、プログラム、アプリケーション、アプリケーションページおよびユーザーインタフェースを少なくとも一つの購買端末１００および少なくとも一つの被推薦端末４００に伝送するサーバーであり得る。ここで、インターネットショッピングモール管理サーバー３００は、購買端末１００で購買が発生する場合、購買による既設定されたパーセントのポイントを支給するサーバーであり得る。また、インターネットショッピングモール管理サーバー３００は、購買端末１００で推薦をして被推薦端末４００がインターネットショッピングモールに接続したり、購買をする場合、各イベントにマッピングされた推薦ポイントを購買端末１００に支給するサーバーであり得る。そして、インターネットショッピングモール管理サーバー３００は、購買端末１００で購買金額が既設定された金額を超過する場合、追加ポイントを会社の売上額に比例して支給するサーバーであり得る。また、インターネットショッピングモール管理サーバー３００は、会社の売上額およびポイントを１ページに提供するサーバーであり得る。
【００２２】
この時、インターネットショッピングモール管理サーバー３００は、ネットワーク２００を通じて遠隔地のサーバーや端末に接続できるコンピューターで具現され得る。ここで、コンピューターは例えば、ウェブブラウザ（ＷＥＢ  Ｂｒｏｗｓｅｒ）が搭載されたノートパソコン、デスクトップ（Ｄｅｓｋｔｏｐ）、ラップトップ（Ｌａｐｔｏｐ）等を含むことができる。
【００２３】
少なくとも一つの被推薦端末４００は、購買端末１００から推薦を受けてインターネットショッピングモールに接続、登録または購入する端末であり得る。また、少なくとも一つの被推薦端末４００は、購買端末１００と同様に購買金額により取引ポイントの付与を受ける端末であり得る。そして、少なくとも一つの被推薦端末４００は、既設定された取引金額が超過した場合、追加ポイントの支給を受け、被推薦人も推薦をする場合、同様に被推薦人の加入、登録または購買から推薦ポイントの支給を受ける端末であり得る。
【００２４】
ここで、少なくとも一つの被推薦端末４００は、ネットワーク２００を通じて遠隔地のサーバーや端末に接続できるコンピュータで具現され得る。ここで、コンピュータは例えば、ウェブブラウザ（ＷＥＢ  Ｂｒｏｗｓｅｒ）が搭載されたノートパソコン、デスクトップ（Ｄｅｓｋｔｏｐ）、ラップトップ（Ｌａｐｔｏｐ）等を含むことができる。この時、少なくとも一つの被推薦端末４００は、ネットワーク２００を通じて遠隔地のサーバーや端末に接続できる端末で具現され得る。少なくとも一つの被推薦端末４００は、例えば、携帯性と移動性が保証される無線通信装置であって、ナビゲーション、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（ｌｎｔｅｒｎａｔｉｏｎａｌ、Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ、Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（ｓｍａｒｔｐｈｏｎｅ）、スマートパッド（ｓｍａｒｔｐａｄ）、タブルレッＰＣ（Ｔａｂｌｅｔ  ＰＣ）等のようなすべての種類のハンドヘルド（Ｈａｎｄｈｅｌｄ）基盤の無線通信装置を含むことができる。
【００２５】
図２は図１に図示されたインターネットショッピングモール管理サーバーを説明するための構成図であり、図３は本発明の一実施例に係るインターネットショッピングモールで売上額およびポイントを公知するページを説明するための図面であり、図４は本発明の一実施例に係る各個人会員別の多様なポイントおよび配当要請画面を説明するための図面である。
【００２６】
図２を参照すると、本発明の一実施例に係るインターネットショッピングモール管理サーバー３００は、支給部３１０、抽出部３２０、分類部３３０、付与部３４０、変動管理部３５０を含むことができる。
【００２７】
本発明の一実施例に係るインターネットショッピングモール管理サーバー３００またはインターネットショッピングモール管理サーバー３００と連動して動作する他のサーバー（図示されず）が、少なくとも一つの購買端末１００および少なくとも一つの被推薦端末４００にインターネットショッピングモール管理サービスアプリケーション、プログラム、アプリケーションページ、ウェブページなどを伝送する場合、少なくとも一つの購買端末１００は、インターネットショッピングモール管理サービスアプリケーション、プログラム、アプリケーションページ、ウェブページなどを設置したり開くことができる。また、ウェブブラウザで実行されるスクリプトを利用して、サービスプログラムが少なくとも一つの購買端末１００および少なくとも一つの被推薦端末４００で駆動されてもよい。ここで、ウェブブラウザはウェブ（ＷＷＷ：ｗｏｒｌｄ  ｗｉｄｅ  ｗｅｂ）サービスを利用できるようにするプログラムであって、ＨＴＭＬ（ｈｙｐｅｒ  ｔｅｘｔ  ｍａｒｋ−ｕｐ  ｌａｎｇｕａｇｅ）で叙述されたハイパーテキストを受けて見せてくれるプログラムを意味し、例えばネットスケープ（Ｎｅｔｓｃａｐｅ）、エクスプローラー（Ｅｘｐｌｏｒｅｒ）、クロム（ｃｈｒｏｍｅ）等を含む。また、アプリケーションは端末上の応用プログラム（ａｐｐｌｉｃａｔｉｏｎ）を意味し、例えば、モバイル端末（スマートフォン）で実行されるアプリケーション（ａｐｐ）を含む。
【００２８】
この時、ネットワーク２００の連結は、少なくとも一つの購買端末１００、インターネットショッピングモール管理サーバー３００、および少なくとも一つの被推薦端末４００が、ネットワーク２００に連結されている端末との通信のために通信接点に通信客体を生成することを意味する。インターネットショッピングモール管理サーバー３００は通信客体を通じてデータを交換することができる。
【００２９】
本発明の一実施例に係るインターネットショッピングモール管理サービスでは、４種類のポイントを提供することができる。この時、ポイントは、物を買う会員に取引金額の例えば２％が提供される取引ポイント、取引が多い人に会社の売上額の２％を１〜３等級に応じて差別的に支給する追加ポイント、会社の広報活動をして推薦を多くした会員に会社の売上額の２％を三つの等級別に差別的に支給する推薦ポイント、会社の売上額の１％を社会還元のために提供する社会貢献ポイントを含むことができる。
【００３０】
支給部３１０は、少なくとも一つの購買端末１００で発生した購買金額の既設定された比率を取引ポイントとして支給することができる。ここで、既設定された比率は取引金額の２％であり得るが、これに限定されはしない。また、取引金額の２％に固定されてもよいが、利潤、購買者の購買条件、販売者の販売条件、製品の種類、選好度などにより変動されてもよい。
【００３１】
抽出部３２０は、少なくとも一つの購買端末１００のうち基準取引金額を超過した少なくとも一つの購買端末１００を抽出することができる。この時、抽出部３２０は、取引が多い人に追加ポイントを支給するが、その基準は例えば５０万ウォン以上であり得る。
【００３２】
分類部３３０は、抽出した少なくとも一つの購買端末１００の取引金額に基づいて、少なくとも一つの購買端末１００を既設定された区間に分けて分類することができる。例えば、追加ポイントの１等級は１０００万ウォン以上の取引、会社の売上額の１％であり得、２等級は３００万ウォン〜９９９万ウォンの取引、会社の売上額の０．６％であり得る。また、３等級は５０万ウォン〜２９９万ウォンの取引、会社の売上額の０．４％であり得る。これに伴い、分類部３３０は、会社の総売上額の２％を１〜３等級に分けて分配することができる。
【００３３】
付与部３４０は、分類した各レベル別の少なくとも一つの購買端末１００に、レベル別に既マッピングされて保存されたパーセントの会社の売上額に対する分配を追加ポイントとして付与することができる。この時、付与部３４０は、レベル別に既マッピングされて保存されたパーセントは、取引金額によるレベルが高まるほど増加し得る。
【００３４】
付与部３４０は、支給部３１０で少なくとも一つの購買端末１００で発生した購買金額の既設定された比率を取引ポイントとして支給した後、少なくとも一つの購買端末１００で推薦した少なくとも一つの被推薦端末４００のインターネットショッピングモール管理サーバー３００へのアクセスイベントが発生した場合、推薦人である少なくとも一つの購買端末１００に推薦ポイントを付与することができる。ここで、推薦ポイントは、推薦人の数に基づいた等級に差別的に付与されるパーセントに基づき得る。
【００３５】
また、アクセスイベントは、少なくとも一つの被推薦端末４００のインターネットショッピングモール管理サーバー３００への照会、登録、および購買のうち、少なくとも一つのイベントを含むことができる。例えば、Ａ推薦人がＢに広報を一所懸命にしたが、Ｂは該当ショッピングモールで製品を検索するばかりで、会員に登録しないこともある。また、Ｂは該当ショッピングモールに加入はしたものの、購買はしないこともある。そして、Ｂは購買までもすることもある。このように、Ａ推薦人が広報活動をどのようにしたかとはかかわらず、Ａの広報効果は多様に発生し得る。したがって、該当ショッピングモールを知らせるだけ（Ｂの照会）、知らせるだけでなく登録までさせる（Ｂの会員加入）、購買までさせる（Ｂの購買）によって差別的に推薦ポイントで支給できる。例えば、Ｂが照会をした場合には、クリック当たり広告のような効果を得ることができるので、該当広告費に対応するポイントを支給し、登録までしたことは持続的に広告ができる情報を提供したので、情報提供によるポイントを支給することができる。しかし、これに限定されるものではなく、多様な広報結果によるポイントがさらに存在し得ることは自明である。
【００３６】
そして、推薦ポイントは、推薦によって少なくとも一つの被推薦端末４００で購買が発生する場合、購買金額および購買周期、推薦人数に基づいて算出され、推薦ポイントのための等級は、周期的またはリアルタイムで推薦数および少なくとも一つの被推薦端末４００の購買金額に基づいてアップデートされ得る。
【００３７】
また、インターネットショッピングモール管理サーバー３００は、取引ポイント、追加ポイントおよび推薦ポイントと、インターネットショッピングモール管理サーバー３００で提供するインターネットショッピングモールの売上額を出力するページを提供することができる。
【００３８】
そして、取引ポイントは購買金額に基づいて提供され、追加ポイントは分類したレベルに該当するテーブルに提供され、推薦ポイントは付与された等級に該当するテーブルに提供され、先々月の累計、先月の取引および今月の取引によるそれぞれのポイントが一つのテーブルに提供され得る。
【００３９】
また、インターネットショッピングモール管理サーバー３００は、取引ポイント、追加ポイントおよび推薦ポイントを、少なくとも一つの購買端末１００の設定または要請で周期的に現金で配当することができる。
【００４０】
変動管理部３５０は、支給部３１０で少なくとも一つの購買端末１００で発生した購買金額の既設定された比率を取引ポイントとして支給する前に、少なくとも一つの購買端末１００で入力したキーワードに対応する販売物品に対する在庫物量、価格変動および配送所要時間をアップデートすることができる。そして、変動管理部３５０は、販売物品に対する情報が変動した場合には、変動した情報を少なくとも一つの購買端末１００に出力することができる。
【００４１】
例えば、物を検索して購入しようとしたが、製品のページのアップデートされていない情報によって、購買者は購買決定要因が変更されたので、購買をしないこともある。例えば、Ａ製品が５万ウォンと最低価検索されたため、または他のショッピングモールより高くても３日内に配送が完了するという情報のため購買決定をしたが、決済画面でまたはその後に変動事項を遅く知った場合には、ユーザーは再検索および再購買の煩雑さを経なければならない。このような過程を継続して経ることになると、購買者は該当ショッピングモールに対する信頼を失って購買をしなくなるので、顧客の流出が発生し得る。したがって、リアルタイムにアップデートされた情報を確認し、該当情報を正確に通知することによって、偽りの情報によってユーザーに信頼を失う場合をゼロ化する。
【００４２】
また、インターネットショッピングモール管理サーバー３００は、購買端末１００で購買と関連した情報を入力する前、必要なセキュリティー事項をすべてチェックし、該当チェックした事項を設置したり活性化させない場合、情報を再び入力するかページを新しく開き得るという点をあらかじめ認知させて購買による情報を再入力しないようにすることができる。例えば、購買端末１００がモバイル基盤でない場合には、韓国のセキュリティー政策上多くのセキュリティープログラムが要求される場合が多い。また、それぞれのショッピングモールごとに多様なプログラムが適用されるので、すべてのプログラムを設置しない場合、決済ボタンをクリックした時にすべての情報がなくなりながらプログラムを設置しなさいとのリダイレクティング信号が発生する場合が多い。したがって、インターネットショッピングモール管理サーバー３００は、購買情報を入力する時、該当購買のためにはどのようなプログラムのインストールが必要であるかをあらかじめ知らせ、万一リダイレクティングで情報がすべて損失される場合に備えて、あらかじめ入力した情報を購買端末１００に保存するようにして以降に該当情報で自動入力されるようにし、自動入力後には情報を確認または承認のみするインターフェースを提供することができる。
【００４３】
以下、前述した構成を有するインターネットショッピングモール管理サービスを図３および図４を参照して説明する。
【００４４】
図３を参照すると、インターネットショッピングモール管理サーバー３００は、会社の売り上げおよびポイント公知画面を提供することができる。例えば、インターネットショッピングモール管理サーバー３００は、会社の現在の売上額がどの程度であり、各種ポイントが現在までどのように分配されているかをメイン画面に出力することができる。そして、インターネットショッピングモール管理サーバー３００は、追加ポイントなどのようなポイントも会員のそれぞれが本人に該当するポイントがどの程度あるかを、会社の「売り上げおよびポイント公知」を通じてあらかじめ分かるように出力することができる。
【００４５】
そして、インターネットショッピングモール管理サーバー３００は、推薦ポイント、すなわち会員本人が何人を推薦して今月にどれほどのポイントが発生するかが分かるように表示してくれる画面を提供することができる。
【００４６】
図４を参照すると、インターネットショッピングモール管理サーバー３００は、（ａ）取引ポイント（買い入れポイント）を取引金額に比例して提供し、本人の追加ポイントと推薦ポイントを詳細に分かることができ、本人がどれほどポイントを累積し使用したかを一目で分かるように、１ページに提供することができる。
【００４７】
また、インターネットショッピングモール管理サーバー３００は、（ｂ）ポイントを現金で配当を受けることができるインターフェースを提供することができる。また、インターネットショッピングモール管理サーバー３００は、配当申請が可能な日付などに対する情報を提供し、私の配当可能金額および配当を受ける口座番号などを受信できるようにする。
【００４８】
（ｃ）そして、インターネットショッピングモール管理サーバー３００は、会員本人が推薦した人と推薦を受けた人を出力し、正会員および一般会員がそれぞれ何人であるか、被推薦人が使った金額はいくらであるかなどに関する情報を出力することができる。
【００４９】
このような図２〜図４のインターネットショッピングモール管理方法について説明されていない事項は、先立って図１を通じてインターネットショッピングモール管理方法について説明された内容と同一または説明された内容から容易に類推可能であるため、以下説明を省略する。
【００５０】
図５は、本発明の一実施例に係る図１に含まれた各構成の相互間にデータが送受信される過程を示した図面である。以下、図５を通じて本願の一実施例により信号が送受信される過程の一例を説明するが、このような実施例で本願が限定解釈されるものではなく、前述した多様な実施例により図５に図示されたデータが送受信される過程が変更され得ることは技術分野に属する当業者に自明である。
【００５１】
図５を参照すると、インターネットショッピングモール管理サーバー３００は購買端末１００から商品を検索する場合（Ｓ５１００）、物品情報がアップデートされたかを確認した後（Ｓ５２００）、検索に対する結果を伝送する（Ｓ５３００）。
【００５２】
そして、購買端末１００で商品を購入する購買イベントが発生した場合（Ｓ５４００）、購買金額により既設定された取引ポイントを支給する（Ｓ５５００）。
【００５３】
また、インターネットショッピングモール管理サーバー３００は、購買金額が基準取引金額を超過する場合（Ｓ５６００）、会社の売上額の既設定されたパーセントを支給する追加ポイントを付与するために、レベルを分けて追加ポイントを支給する（Ｓ５７００）。
【００５４】
そして、インターネットショッピングモール管理サーバー３００は、購買金額によるレベルは固定されたものではなく流動的に変更され得るため、周期的またはリアルタイムで購買金額によるレベルをアップデートする（Ｓ５８００）。
【００５５】
一方、購買端末１００で他の被推薦人を推薦する場合（Ｓ５９００）、インターネットショッピングモール管理サーバー３００は、推薦人の数により購買端末１００で推薦ポイントを支給してもよく、推薦人が購買をする購買金額に比例して推薦ポイントを支給してもよい（Ｓ５９１０、Ｓ５９３０）。
【００５６】
そして、インターネットショッピングモール管理サーバー３００は、支給された推薦ポイントを購買端末１００の情報としてアップデートする（Ｓ５９４０）。
【００５７】
前述した段階（Ｓ５１００〜Ｓ５９４０）間の順序は例示に過ぎず、これに限定されない。すなわち、前述した段階（Ｓ５１００〜Ｓ５９４０）間の順序は互いに変動され得、このうちイブの段階は同時に実行または削除されてもよい。
【００５８】
このような図５のインターネットショッピングモール管理方法について説明されていない事項は、先だって図１〜図４を通じてインターネットショッピングモール管理方法について説明された内容と同じであるか説明された内容から容易に類推可能であるため、以下説明を省略する。
【００５９】
図６は、本発明の一実施例に係るインターネットショッピングモール管理方法を説明するための動作フローチャートである。図６を参照すると、インターネットショッピングモール管理サーバーは、少なくとも一つの購買端末で発生した購買金額の既設定された比率を取引ポイントとして支給する（Ｓ６１００）。
【００６０】
そして、インターネットショッピングモール管理サーバーは、少なくとも一つの購買端末のうち基準取引金額を超過した少なくとも一つの購買端末を抽出する（Ｓ６２００）。
【００６１】
また、インターネットショッピングモール管理サーバーは、抽出した少なくとも一つの購買端末の取引金額に基づいて、少なくとも一つの購買端末を既設定された区間に分けて分類する（Ｓ６３００）。
【００６２】
最後に、インターネットショッピングモール管理サーバーは、分類した各レベル別の少なくとも一つの購買端末に、レベル別に既マッピングされて保存されたパーセントの会社の売上額に対する分配を追加ポイントとして付与する（Ｓ６４００）。
【００６３】
このような図６のインターネットショッピングモール管理方法について説明されていない事項は、先だって図１〜図５を通じてインターネットショッピングモール管理方法について説明された内容と同じであるか説明された内容から容易に類推可能であるため、以下説明を省略する。
【００６４】
図６を通じて説明された一実施例に係るインターネットショッピングモール管理方法は、コンピュータによって実行されるアプリケーションやプログラムモジュールのようなコンピュータによって実行可能な命令語を含む記録媒体の形態にも具現され得る。コンピュータ読み取り可能媒体はコンピュータによってアクセスされ得る任意の使用可能媒体であり得、揮発性および不揮発性媒体、分離型および非分離型媒体をすべて含む。また、コンピュータ読み取り可能媒体はコンピュータ保存媒体および通信媒体をすべて含むことができる。コンピュータ保存媒体はコンピュータ読み取り可能命令語、データ構造、プログラムモジュールまたはその他のデータのような情報の保存のための任意の方法または技術で具現された揮発性および不揮発性、分離型および非分離型媒体をすべて含む。通信媒体は典型的にコンピュータ読み取り可能命令語、データ構造、プログラムモジュール、または搬送波のような変調したデータ信号のその他のデータ、またはその他の伝送メカニズムを含み、任意の情報伝達媒体を含む。
【００６５】
前述した本発明の一実施例に係るインターネットショッピングモール管理方法は、端末機に基本的に設置されたアプリケーション（これは端末機に基本的に搭載されたプラットホームや運営体制などに含まれたプログラムを含むことができる）により実行され得、ユーザーがアプリケーションストアサーバー、アプリケーションまたは該当サーバースと関連したウェブサーバーなどのアプリケーション提供サーバーを通じてマスター端末機に直接設置したアプリケーション（すなわち、プログラム）により実行されてもよい。このような意味で、前述した本発明の一実施例に係るインターネットショッピングモール管理方法は、端末機に基本的に設置されるかユーザーによって直接設置されたアプリケーション（すなわち、プログラム）で具現され、端末機などのコンピュータで読み取ることができる記録媒体に記録され得る。
【００６６】
前述した本発明の説明は例示のためのものであって、本発明が属する技術分野の通常の知識を有する者は本発明の技術的思想や必須の特徴を変更することなく他の具体的な形態に容易に変形可能であることが理解できるはずである。したがって、以上で記述した実施例はすべての面で例示的なものであり限定的ではないものと理解されるべきである。例えば、単一形に説明されている各構成要素は分散して実施されてもよく、同様に分散したものとして説明されている構成要素も結合した形態で実施され得る。
【００６７】
本発明の範囲は前記詳細な説明よりは後述する特許請求の範囲によって示され、特許請求の範囲の意味および範囲そして、その均等概念から導き出されるすべての変更または変形された形態は本発明の範囲に含まれるものと解釈されるべきである。
【図１】
0006872269.tif 000002
【図２】
0006872269.tif 000003
【図３】
0006872269.tif 000004
【図４】
0006872269.tif 000005
【図５】
0006872269.tif 000006
【図６】
0006872269.tif 000007